(57)【要約】      （修正有）【課題】より使い勝手のよい電位治療器を提供する。【解決手段】ユーザの生体１２０に対して、絶縁状態で一定の電位を与える電位治療器１００であって、前記電位を発生させる電位発生部１０１と、前記生体の絶縁が破れることで生じた電気の漏れを検出する漏電検出部１０２と、前記漏電検出部によって検出された漏れ電流が第１値を超えたことを、視覚的に前記ユーザに通知する第１通知部１０３と、前記第１通知部による通知から第１時間連続で前記漏れ電流が前記第１値を超えていた場合に、聴覚的または感覚的に前記ユーザに通知する第２通知部１０４と、を備えた。【選択図】図１
2019141363.tif 000002
【特許請求の範囲】
【請求項１】
ユーザの生体に対して、絶縁状態で一定の電位を与える電位治療器であって、
前記電位を発生させる電位発生部と、
前記生体の絶縁が破れることで生じた電気の漏れを検出する漏電検出部と、
前記漏電検出部によって検出された漏れ電流が第１値を超えたことを、視覚的に前記ユーザに通知する第１通知部と、
前記第１通知部による通知から第１時間連続で前記漏れ電流が前記第１値を超えていた場合に、聴覚的または感覚的に前記ユーザに通知する第２通知部と、
を備えた電位治療器。
【請求項２】
前記第２通知部による通知から第２時間連続で前記漏れ電流が前記第１値を超えていた場合に、前記電位発生部における電位の発生を停止させる制御部をさらに備えた請求項１に記載の電位治療器。
【請求項３】
前記漏電検出部によって検出された漏れ電流が前記第１値よりも大きな第２値を超えた場合に、前記電位発生部における電位の発生を停止させる制御部をさらに備えた請求項１または２に記載の電位治療器。
【請求項４】
前記制御部は、前記電位の発生を停止させてから所定時間後に再度、前記電位を発生させる請求項３に記載の電位治療器。
【請求項５】
前記第１通知部は、さらに前記制御部によって前記電位発生部における電位の発生が停止されていることを視覚的に前記ユーザに通知する請求項３または４に記載の電位治療器。
【請求項６】
前記第１通知部は、漏れ電流が前記第１値を超えた場合と、前記制御部によって前記電位発生部における電位の発生が停止されている場合とで、異なる態様で前記ユーザに通知する請求項５に記載の電位治療器。
【請求項７】
前記第１通知部は発光手段であり、前記第２通知部は、音声出力手段または振動発生手段である請求項１に記載の電位治療器。
【請求項８】
ユーザの生体に対して、絶縁状態で一定の電位を与える電位治療器の制御方法であって、
前記生体の絶縁が破れることで生じた電気の漏れを検出する漏電検出ステップと、
前記漏電検出ステップによって検出された漏れ電流が第１値を超えたことを、視覚的に前記ユーザに通知する第１通知ステップと、
前記第１通知ステップでの通知から第１時間連続で前記漏れ電流が前記第１値を超えていた場合に、聴覚的または感覚的に前記ユーザに通知する第２通知ステップと、
を含む電位治療器の制御方法。
【請求項９】
ユーザの生体に対して、絶縁状態で一定の電位を与える電位治療器の制御プログラムであって、
前記生体の絶縁が破れることで生じた電気の漏れを検出する漏電検出ステップと、
前記漏電検出ステップによって検出された漏れ電流が第１値を超えたことを、視覚的に前記ユーザに通知する第１通知ステップと、
前記第１通知ステップでの通知から第１時間連続で前記漏れ電流が前記第１値を超えていた場合に、聴覚的または感覚的に前記ユーザに通知する第２通知ステップと、
をコンピュータに実行させる電位治療器の制御プログラム。
【発明の詳細な説明】
【技術分野】
【０００１】
本発明は、電位治療器およびその制御方法ならびに制御プログラムに関する。
【背景技術】
【０００２】
上記技術分野において、特許文献１には、負電荷を生体に与えることにより様々な疾患を改善する技術が開示されている。
【先行技術文献】
【特許文献】
【０００３】
【特許文献１】特開昭５８−１４６３６１号公報
【発明の概要】
【発明が解決しようとする課題】
【０００４】
しかしながら、上記文献に記載の技術では、人が導電体に触れることにより、電流が流れてしまうと、その効果が得られないという問題があった。
【０００５】
本発明の目的は、上述の課題を解決する技術を提供することにある。
【課題を解決するための手段】
【０００６】
上記目的を達成するため、本発明に係る電位治療器は、
ユーザの生体に対して、絶縁状態で一定の電位を与える電位治療器であって、
前記電位を発生させる電位発生部と、
前記生体の絶縁が破れることで生じた電気の漏れを検出する漏電検出部と、
前記漏電検出部によって検出された漏れ電流が第１値を超えたことを、視覚的に前記ユーザに通知する第１通知部と、
前記第１通知部による通知から第１時間連続で前記漏れ電流が前記第１値を超えていた場合に、聴覚的または感覚的に前記ユーザに通知する第２通知部と、
を備えた。
【０００７】
上記目的を達成するため、本発明に係る方法は、
ユーザの生体に対して、絶縁状態で一定の電位を与える電位治療器の制御方法であって、
前記生体の絶縁が破れることで生じた電気の漏れを検出する漏電検出ステップと、
前記漏電検出部によって検出された漏れ電流が第１値を超えたことを、視覚的に前記ユーザに通知する第１通知ステップと、
前記第１通知部による通知から第１時間連続で前記漏れ電流が前記第１値を超えていた場合に、聴覚的または感覚的に前記ユーザに通知する第２通知ステップと、
を含む電位治療器の制御方法である。
【０００８】
上記目的を達成するため、本発明に係るプログラムは、
ユーザの生体に対して、絶縁状態で一定の電位を与える電位治療器の制御プログラムであって、
前記生体の絶縁が破れることで生じた電気の漏れを検出する漏電検出ステップと、
前記漏電検出部によって検出された漏れ電流が第１値を超えたことを、視覚的に前記ユーザに通知する第１通知ステップと、
前記第１通知部による通知から第１時間連続で前記漏れ電流が前記第１値を超えていた場合に、聴覚的または感覚的に前記ユーザに通知する第２通知ステップと、
をコンピュータに実行させる電位治療器の制御プログラムである。
【発明の効果】
【０００９】
本発明によれば、より使い勝手のよい電位治療器を提供できる。
【図面の簡単な説明】
【００１０】
【図１】本発明の第１実施形態に係る電位治療器の構成を示すブロック図である。
【図２】本発明の第２実施形態に係る電位治療器の構成を示すブロック図である。
【図３】本発明の第２実施形態に係る電位治療器の使用状態を示す図である。
【図４】本発明の第２実施形態に係る電位治療器の使用状態を示す図である。
【図５】本発明の第２実施形態に係る電位治療器の使用状態を示す図である。
【図６】本発明の第２実施形態に係る電位治療器の使用状態を示す図である。
【図７】本発明の第２実施形態に係る電位治療器の使用時の状態変化を示すタイムチャートである。
【発明を実施するための形態】
【００１１】
以下に、図面を参照して、本発明の実施の形態について例示的に詳しく説明する。ただし、以下の実施の形態に記載されている構成要素はあくまで例示であり、本発明の技術範囲をそれらのみに限定する趣旨のものではない。
【００１２】
［第１実施形態］
本発明の第１実施形態としての電位治療器１００について、図１を用いて説明する。電位治療器１００は、ユーザの生体１２０に対して、絶縁状態で一定の電位を与える健康器具である。
【００１３】
図１に示すように、電位治療器１００は、電位発生部１０１と漏電検出部１０２と通知部１０３，１０４を含む。
【００１４】
電位発生部１０１は、電位を発生させる。漏電検出部１０２は、生体１２０の絶縁が破れることで生じた電気の漏れ（漏れ電流）を検出する。
【００１５】
通知部１０３は、漏電検出部１０２によって検出された漏れ電流が第１値を超えたことを、視覚的にユーザに通知する。通知部１０４は、通知部１０３による通知から第１時間連続で漏れ電流が第１値を超えていた場合に、聴覚的または感覚的にユーザに通知する。
【００１６】
これによりユーザは、漏電しているかどうかの有無を随時確認可能でありつつも、一定以上の漏電が一定時間以上続いた場合には、より明確にユーザにその漏電を認識させることが可能である。
【００１７】
［第２実施形態］
次に本発明の第２実施形態に係る電位治療器について、図２〜図７を用いて説明する。図２は、本実施形態に係る電位治療器２００の機能構成を説明するための図である。図３〜図６は、電位治療器２００の使用状態を表す図である。
【００１８】
図２に示す通り、電位治療器２００は、電位発生部２０１と漏電検出部２０２と通知部としての発光部２０３および音声出力部２０４を含む。ここでは、ユーザに対する２段階の通知手段として発光部および音声出力部を例示しているが、本発明はこれに限定されるものではない。例えば、発光部の代わりに音声出力手段や振動発生手段を採用してもよいし、音声出力部の代わりに、振動発生手段を用いてもよい。
【００１９】
電位治療器２００はさらに、比較部２０５、発光制御部２０６、カウンタ２０７、２１２，２１６、閾値設定部２０８、比較部２０９、音声制御部２１１、比較部２１３、２１４、２１７、および電位制御部２１５を有する。
【００２０】
図７は、電位治療器２００の各種機能構成における状態の変化を同じ時間軸に並べたタイムチャートである。図７においてグラフ７０１は、漏電検出部２０２が検出した漏れ電流の変化を表す。グラフ７０２は、発光部２０３のＯＮ／ＯＦＦ状態を示す。グラフ７０３は、カウンタ２０７がカウントした、発光時間を表すカウント値の変化を示す。グラフ７０４は、音声制御部２１１のＯＮ／ＯＦＦ状態を示す。グラフ７０５は、カウンタ２１２がカウントした、音声出力時間を表すカウント値の変化を示す。グラフ７０６は、電位発生部２０１のＯＮ／ＯＦＦ状態を示す。グラフ７０７は、カウンタ２１６がカウントした、電位ＯＦＦ時間を表すカウント値の変化を示す。
【００２１】
まず、図７のタイミング７１１においては、図３に示すように、電位発生部２０１は、電極２２１に電圧を与えることにより、絶縁シート２２２上のユーザの生体２２０に対して、絶縁状態で一定の電位を与える。これにより、「生体イオンとＮａ、Ｋ、Ｃａのようなカチオン（電解質イオン）を法則的に一定方向に移動させ、この顕著な「イオン効果」によって細胞の機能を漸進的に賦活させる」（補遺「健康と美容と若返りの秘訣」医学博士高田蒔  電位療法研究会会誌5：1987から抜粋）。
【００２２】
漏電検出部２０２は、生体の絶縁が破れることで生じた電気の漏れを検出し、比較部２０５に送る。例えば図４に示すように、ユーザの生体２２０の一部（ここでは足）が絶縁シート２２２の外に出て、地面など他の導電体に触れた場合、あるいは、生体２２０に触れている物質（布団など）の端部が、絶縁シート２２２以外の導電体に触れた場合に漏電が起きる。漏れ電流の値は、比較部２０５に送られ、閾値設定部２０８で設定された閾値Ａと比較される。例えば、比較部２０５では、微量な電流値（例えば０．０１ｍＡ）との比較を行い、微量でも漏れ電流があれば、発光制御部２０６に通知して、例えばＬＥＤなどの発光部２０３を発光させ、カウンタ２０７によるカウントを開始させる（図７のタイミング７１２）。つまり発光部２０３は、漏電検出部２０２によって検出された漏れ電流が閾値Ａを超えたことを、視覚的にユーザ２２０に通知する（図４参照）。ここでいきなり音声出力（ブザーなど）による警告を行わないため、不必要な不安を与えることを回避できる。
【００２３】
ユーザ２２０が目を覚ましており、発光部２０３が発行していることに気が付けば、絶縁シート２２２内に体を戻すことにより（図３の状態）、漏れ電流が閾値Ａ以下になると、発光部２０３の発光を停止させ、カウンタ２０７をクリアして（図７のタイミング７１３）、引き続き正常に生体に対して電位を与える。
【００２４】
比較部２１４は、閾値Ａよりも大きな閾値Ｂと漏れ電流とを比較する。漏れ電流が閾値Ｂよりも大きければ、電位制御部２１５に通知して電位発生部２０１における電位の発生（電圧の印加）を停止させるが、ここでは図７に示すように漏れ電流は閾値Ｂよりも小さいとして説明をつづける。
【００２５】
一旦、漏れ電流がなくなったものの、再度、漏れ電流が生じた場合、再度、発光部２０３を発光させ、カウンタ２０７によるカウントを開始する。カウンタ２０７によるカウント値が所定の閾値Ｘ（例えば１０秒）を超えたことを比較部２０９が検知した場合、音声制御部２１１が音声出力部２０４を制御して、音声（ここではブザー音）を出力させる（図５、図７のタイミング７１４）。すなわち、治療中に寝てしまったり、目をつぶっていて、発光部２０３によるアラートに気が付いていないユーザ２２０に対して気づきを与える。
【００２６】
ブザー音が何秒か鳴ったことにより、ユーザ２２０が漏電に気づいて姿勢を変え（図６）、漏れ電流値が閾値Ａ以下になると、発光および音声出力を停止させる（図７のタイミング７１５、図３）。
【００２７】
その後、また図４に示すように、閾値Ａを超える漏電が閾値Ｘを超えて継続した場合（図７のタイミング７１６）、発光部２０３の発光に加えて音声出力部２０４による音声出力を行う。音声出力期間が所定値を超え、カウンタ２１２の値が閾値Ｙ（例えば１５秒）を超えたことを比較部２１３が検知した場合、電位制御部２１５に通知して電位発生部２０１における電位の発生（電圧の印加）を停止させる（図７のタイミング７１７）。
【００２８】
一方、カウンタ２１６は、電位制御部２１５が電位発生部２０１による電位の発生を停止させると同時にカウントを開始する。電位制御部２１５は、電位の発生の停止を発光制御部２０６に通知し、発光部２０３を発光させる。電位発生強制停止中の発光の態様を、漏電中の発光の態様と異なる態様とすれば、ユーザ２２０は、発光態様により、すぐに漏電中なのか強制停止中なのかといった、状況の違いを認識することができるようになる。
【００２９】
比較部２１７は、カウンタ２１６のカウント値と閾値設定部２０８で設定された閾値Ｚ（例えば３０秒）とを比較し、カウント値が閾値Ｚを超えた場合には（図７のタイミング７１８）、電位発生部２０１における電位の発生（電圧の印加）を再開させる。目を覚ましたユーザ２２０による、電位治療器２００の本体操作を待たなくても、ユーザ２２０が自然に姿勢を変えて漏電が回避される場合もあるので、自動的に電位の発生を再開させて、漏電の有無を再検知する。
【００３０】
その後は、上述と同様に、漏れ電流が閾値Ａを超え続ける限り、発光→音声出力（図７のタイミング７１９）→所定時間後、電位発生停止を繰り返すが、漏れ電流がさらに上昇して閾値Ｂを超えた場合には（図７のタイミング７２０）、比較部２１４は、電位制御部２１５に通知して、電位発生部２０１における電位の発生を停止させる。この場合、ユーザ２２０に対して漏れ電流が大きいことを知らせる必要があるため、電位発生停止後に、発光制御部２０６と音声制御部２１１に指示を送り、光と音の両方でユーザ２２０に対する特別な通知を行う。つまり、漏電が一定時間続いた場合とは異なる態様で通知を行う。
【００３１】
さらに、電位治療器２００はタイマ２１８を備えており、電位制御部２１５は、電位発生開始から一定時間経過後、自動的に電位の発生を停止させる構成となっている。このとき、電位制御部２１５は、比較部２１３、２１７からの指令によって電位の発生を強制的に停止した時間だけタイマ２１８を停止させることもできる。そのようにすれば漏電などによって意図せずに電位の付加が停止された時間を除いて、所望の時間だけ電位による治療を受けることができる。
【００３２】
以上説明した機能構成は、それぞれＩＣチップや電子回路などのハードウェアによって実現されてもよいし、それぞれがプログラムモジュールとしてフラッシュメモリなどに格納され、マイコンに呼び出されて実行されてもよい。
【００３３】
本実施形態によれば、漏電しているかどうかの有無を随時確認可能であり、かつ一定以上の漏電が一定時間以上続いた場合には、より明確にユーザにその漏電を認識させることが可能である。さらにより多くの電流が流れた場合には、電位の発生を停止させ、ユーザの安全を担保することができる。
【００３４】
［他の実施形態］
以上、実施形態を参照して本願発明を説明したが、本願発明は上記実施形態に限定されるものではない。本願発明の構成や詳細には、本願発明のスコープ内で当業者が理解し得る様々な変更をすることができる。また、それぞれの実施形態に含まれる別々の特徴を如何様に組み合わせたシステムまたは装置も、本発明の範疇に含まれる。
【００３５】
また、本発明は、複数の機器から構成されるシステムに適用されてもよいし、単体の装置に適用されてもよい。さらに、本発明は、実施形態の機能を実現する情報処理プログラムが、システムあるいは装置に直接あるいは遠隔から供給される場合にも適用可能である。したがって、本発明の機能をコンピュータで実現するために、コンピュータにインストールされるプログラム、あるいはそのプログラムを格納した媒体、そのプログラムをダウンロードさせるＷＷＷ(World Wide Web)サーバも、本発明の範疇に含まれる。特に、少なくとも、上述した実施形態に含まれる処理ステップをコンピュータに実行させるプログラムを格納した非一時的コンピュータ可読媒体（non-transitory computer readable medium）は本発明の範疇に含まれる。
【図１】
2019141363.tif 000003
【図２】
2019141363.tif 000004
【図３】
2019141363.tif 000005
【図４】
2019141363.tif 000006
【図５】
2019141363.tif 000007
【図６】
2019141363.tif 000008
【図７】
2019141363.tif 000009